(57)【特許請求の範囲】
【請求項１】
身(1)の後部に蓋(2)を開閉自在に連設し、解体時に折り畳めるようにした包装箱において、身(1)及び蓋(2)に亘り折目線(21)を連続的に２本入れて、その間隔がテーパー状に一方から他方へかけて次第に変化するものとし、この折目線(21)に交わる幅方向の折目線(22-25)を入れ、蓋(2)を開けて偏平に解体した状態で、テーパ状折目線(21)の両側方を内側へ折り曲げ、広幅側の端部を幅方向の折目線(22)沿いに折り曲げて袋部(26)を形成し、狭幅側の端部から中間までの部分を幅方向の折目線(23,24)沿いに巻き込むように折り曲げて、幅方向の折目線(25)沿いに撓ませつつ、袋部(26)に差し込むことにより、折畳状態が維持されるようにしたことを特徴とする包装箱。
【発明の詳細な説明】
【技術分野】
【０００１】
この発明は、身と蓋とを連設した包装箱であって、嵩張らないように折り畳んで廃棄できるようにしたものに関する。
【背景技術】
【０００２】
従来、ピザの宅配に使用される包装箱として、下記特許文献１には、図１１に示すように、平面形状が八角形であって、身５１の後部に蓋５２を開閉自在に連設したものが記載されている。
【０００３】
この包装箱の身５１と蓋５２の境界には切目線５３が設けられ、身５１には平行な２本の折目線５４が、蓋５２の中央には１本の折目線５５がそれぞれ前後方向に向けて入れられている。蓋５２の両側には、係合切込５６が入れられている。
【０００４】
この包装箱を使用後に折り畳んで廃棄する際には、身５１と蓋５２とが繋がったままの状態で解体すると、前後方向に長くなって嵩張ることから、切目線５３を切断し、身５１と蓋５２とを分離する。
【０００５】
そして、身５１及び蓋５２を偏平に解体し、図１２に示すように、身５１の両側部を折目線５４に沿って内側へ折り曲げ、蓋５２を折目線５５に沿って二つ折りにし、蓋５２に身５１を挟んで、係合切込５６の噛合により折畳状態が維持されるようにする。
【０００６】
【特許文献１】特開２００１−２８７７３１号公報
【発明の開示】
【発明が解決しようとする課題】
【０００７】
しかしながら、上記のような包装箱では、折り畳みに際し、身と蓋の分離、それぞれの折り曲げ、挟み込み及び噛み合わせという操作の異なる多段階の手順が必要であることから、手間がかかるという問題があった。
【０００８】
そこで、この発明は、嵩張らないように簡単に折り畳んで廃棄できる包装箱を提供することを課題とする。
【課題を解決するための手段】
【０００９】
上記のような課題を解決するため、この発明は、身の後部に蓋を開閉自在に連設し、解体時に折り畳めるようにした包装箱において、身及び蓋に亘り折目線を連続的に２本入れて、その間隔がテーパー状に一方から他方へかけて次第に変化するものとし、この折目線に交わる幅方向の折目線を入れ、蓋を開けて偏平に解体した状態で、テーパ状折目線の両側方を内側へ折り曲げ、広幅側の端部を幅方向の折目線沿いに折り曲げて袋部を形成し、狭幅側の端部から中間までの部分を幅方向の折目線沿いに巻き込むように折り曲げて、幅方向の折目線沿いに撓ませつつ、袋部に差し込むことにより、折畳状態が維持されるようにしたのである。
【発明の効果】
【００１０】
このような包装箱は、身と蓋とに亘るテーパー状折目線と、これに交わる幅方向の折目線とを入れたので、これらの折目線に沿って折り曲げ、広幅の袋部へ狭幅の端部を差し込むだけで、身と蓋の分離や挟み込み、噛み合わせ等を行うことなく、簡単に嵩張らない状態に折り畳んで、廃棄することができる。
【発明を実施するための最良の形態】
【００１１】
まず、この発明の第１実施形態を図１乃至図６に基づいて説明する。
【００１２】
この包装箱は、ピザの宅配に使用するものであり、図１に示すような段ボールのブランクから形成される。このブランクは、身１と蓋２の部分から構成され、段目が身１と蓋２の連設方向である前後方向に向いている。
【００１３】
身１の部分では、八角形の底板３の前辺に前板４が、両側辺に側板５が、後辺に後板６がそれぞれ連設されている。
【００１４】
側板５の両側端には隅板７が、前板４及び後板６の両側端には折込片８がそれぞれ連設され、隅板７と折込片８とは、底当片９を介して繋がれている。隅板７及び折込片８と底当片９との境界部には、組立時の折曲抵抗を軽減するため、２本の罫線が入れられ、底板３の斜辺と底当片９の間には貫穴が設けられている。
【００１５】
前板４の組立時における上端には、蓋受板１０が連設され、隅板７の先端部には係合突起７ａが、蓋受板１０の両側部には係合穴１０ａがそれぞれ設けられている。蓋受板１０の基部には、前板４との境界に沿ってスリット状の差込穴１０ｂが設けられている。
【００１６】
後板６の組立時における上端には、蓋２の部分を形成する八角形の蓋板１１が繋がり、蓋板１１の前辺中央部には、差込片１２が連設されている。
【００１７】
また、このブランクには、廃棄時の折畳のため、身１及び蓋２の部分に亘って折目線２１が連続的に２本入れられ、折目線２１の間隔は、テーパー状に蓋２の前側から身１の前側へかけて次第に狭くなっている。
【００１８】
蓋板１１の前部には、折目線２１に交わる幅方向の折目線２２が２本平行に入れられ、底板３及び両側板５に亘って幅方向の折目線２３が入れられている。後板６と蓋板１１の境界の折目線２４と、後板６と底板３の境界の折目線２５もまた、折畳に利用されるものとなっている。これらの折目線２１乃至２５は、押罫とされている。
【００１９】
このようなブランクを組み立ててピザを包装するには、図２に示すように、底板３から前板４、一対の側板５及び後板６を同時に起立させ、これに伴い、折込片８を内側へ折り込んで、隅板７を側板５に対し４５°の角度で内側へ折り曲げると共に、折込片８と底当片９との境界を谷折りし、底当片９を底板３に重ねる。
【００２０】
そして、蓋受板１０を内側へ折り曲げて、係合突起７ａを係合穴１０ａに係合させ、図３に示すように、蓋板１１を閉じ、差込片１２を差込穴１０ｂに差し込む。
【００２１】
一方、この包装箱を使用後に廃棄する際には、蓋２を開けて偏平に解体した状態で、図４に示すように、テーパ状折目線２１の両側方を内側へ折り曲げ、広幅側の端部をテーパ状折目線２１に交わる幅方向の折目線２２沿いに折り曲げて袋部２６を形成する。
【００２２】
次いで、図５に示すように、狭幅側の端部から中間までの部分を幅方向の折目線２３，２４沿いに巻き込むように折り曲げて、折目線２５沿いに撓ませつつ、袋部２６に差し込むと、図６に示すように、折畳状態が維持される。
【００２３】
このような包装箱は、身と蓋とに亘るテーパー状折目線２１と、これに交わる幅方向の折目線２２乃至２５とを入れたので、これらの折目線２１乃至２５に沿って折り曲げ、広幅の袋部２６へ狭幅の端部を差し込むだけで、身１と蓋２の分離や挟み込み、噛み合わせ等を行なわなくても、簡単に嵩張らない状態に折り畳んで、廃棄することができる。
【００２４】
また、包装状態において、後板６と隅板７とが折込片８及び底当片９を介して繋がっているので、密閉性が高まり、箱内への異物の侵入や、箱からの油分の染み出し等を防止することができる。
【００２５】
次に、この発明の第２実施形態を図７乃至図１０に基づいて説明する。なお、この実施形態と上記第１実施形態との対応する部分には、同一の符号を付して説明を省略する。
【００２６】
この包装箱は、チョコレート等、一般的な固形商品の包装に使用するものであり、その
ブランクでは、底板３及び蓋板１１が四角形となっている。側板５の組立時における上端には、蓋受板１３が連設され、側板５の後側端には折込片１４が連設されている。
【００２７】
また、廃棄時の折畳のため、底板３の前部及び後部から両側板５及び蓋受板１３に亘ってそれぞれ幅方向の折目線２３，２５が入れられ、底板３と後板６との境界の折目線２４もまた、折畳に利用されるものとなっている。
【００２８】
このようなブランクを組み立てて商品を包装するには、図８に示すように、底板３から前板４及び一対の側板５を起立させ、蓋受板１０，１３を内側へ折り曲げ、折込片１４を内側へ折り込み、後板６を起こして折込片１４に沿わせ、蓋板１１を閉じ、差込片１２を差込穴１０ｂに差し込む。
【００２９】
一方、この包装箱を使用後に廃棄する際には、蓋２を開けて偏平に解体した状態で、図９に示すように、テーパ状折目線２１の両側方を内側へ折り曲げ、広幅側の端部をテーパ状折目線２１に交わる幅方向の折目線２２沿いに折り曲げて袋部２６を形成する。
【００３０】
次いで、狭幅側の端部から中間までの部分を幅方向の折目線２３，２４沿いに巻き込むように折り曲げて、図１０に示すように、折目線２５沿いに撓ませつつ、袋部２６に差し込むと、折畳状態が維持される。
【００３１】
このような直方体の包装箱もまた、身と蓋とに亘るテーパー状折目線２１と、これに交わる幅方向の折目線２２乃至２５とを入れたので、これらの折目線２１乃至２５に沿って折り曲げ、広幅の袋部２６へ狭幅の端部を差し込むだけで、簡単に嵩張らない状態に折り畳んで、廃棄することができる。
【００３２】
なお、上記各実施形態では、折目線２１の間隔がテーパー状に蓋２の前側から身１の前側へかけて次第に狭くなるものを例示したが、これとは逆に、折目線２１の間隔がテーパ状に身１の前側から蓋２の前側へかけて次第に狭くなるものとしてもよい。
【００３３】
また、組立状態での平面形状が八角形のものと四角形のものとを例示したが、六角形等の多角形としたものにおいても、同様の折目線を入れることにより、簡単に嵩張らない状態に折り畳んで、廃棄することができる。
【００３４】
さらに、蓋２が板状とされ、解体時に後板６が倒れるものを例示したが、身１及び蓋２が共にトレー状に保形された立体であって、ヒンジとなる折目線を介して繋がったものにおいても、同様の構成を適用することができる。
【図面の簡単な説明】
【００３５】
【図１】この発明の第１実施形態に係る包装箱のブランクを示す図
【図２】同上の組立過程を示す斜視図
【図３】同上の組立状態を示す斜視図
【図４】同上の折畳の初期過程を示す斜視図
【図５】同上の折畳の中間過程を示す斜視図
【図６】同上の折畳状態を示す斜視図
【図７】この発明の第２実施形態に係る包装箱のブランクを示す図
【図８】同上の組立過程を示す斜視図
【図９】同上の折畳の初期過程を示す斜視図
【図１０】同上の折畳状態を示す斜視図
【図１１】従来の包装箱の組立過程を示す斜視図
【図１２】同上の折畳状態を示す斜視図
【符号の説明】
【００３６】
１  身
２  蓋
３  底板
４  前板
５  側板
６  後板
７  隅板
８  折込片
９  底当片
１０  蓋受板
１０ａ  係合穴
１０ｂ  差込穴
１１  蓋板
１２  差込片
１３  蓋受板
１４  折込片
２１〜２５  折目線
２６  袋部
【図１】
0005038182.tif 000002
【図２】
0005038182.tif 000003
【図３】
0005038182.tif 000004
【図４】
0005038182.tif 000005
【図５】
0005038182.tif 000006
【図６】
0005038182.tif 000007
【図７】
0005038182.tif 000008
【図８】
0005038182.tif 000009
【図９】
0005038182.tif 000010
【図１０】
0005038182.tif 000011
【図１１】
0005038182.tif 000012
【図１２】
0005038182.tif 000013